(57)【要約】【課題】１のディスプレイ単体への画像表示、及び、複数のディスプレイが合成された合成表示画面への画像表示、を行うことの可能な表示装置、及び表示装置ユニットを提供する。【解決手段】第１表示画面３２には、第１表示画面３２の全面に画像を表示する単独画像表示を行うことが可能とされている。追加ディスプレイ１４が装着されている状態においては、第１表示画面３２と第２表示画面４０とで合成表示画面５０が構成され、合成表示画面５０の前面に画像が表示される合成画像表示が可能とされている。【選択図】  図３
2005025000.tif 000002
【特許請求の範囲】
【請求項１】
画像を表示可能な第１表示画面と、
画像を表示可能な第２表示画面を備えた第２表示装置を装着可能な装着部と、
前記装着部に前記第２表示装置が装着されているかどうかを検知可能な検知手段と、
前記検知手段により第２表示装置が装着されていないと検知された場合には、前記第１表示画面に対応する単独画像表示を行うと共に、前記検知手段により前記第２表示装置が装着されていると検知された場合には、前記第１表示画面と前記第２表示画面とで構成された合成表示画面に対応する合成画像表示を行う画像表示手段と、
を備えた表示装置。
【請求項２】
請求項１の表示装置と、
画像を表示可能で、前記表示装置の装着部に装着され、画像を表示可能な第２表示画面を備えた、第２表示装置と、
を備えた表示装置ユニット。
【請求項３】
外側から視認可能な第１表示画面と、
外側からの視認が可能な視認可能状態、及び、外側からの視認の不能な視認不能状態が可能とされた第２表示画面と、
前記第２表示画面が視認可能状態かどうかを検知可能な検知手段と、
前記検知手段により第２表示装置が視認可能状態でないと検知された場合には、前記第１表示画面に対応する単独画像表示を行うと共に、前記検知手段により前記第２表示画面が視認可能状態であると検知された場合には、前記第１表示画面と前記第２表示画面とで構成された合成表示画面に対応する合成画像表示を行う画像表示手段と、
を備えた表示装置。
【発明の詳細な説明】
【０００１】
【発明の属する技術分野】
本発明は、画像を表示可能な表示装置、及び表示装置ユニットに関する。
【０００２】
【従来の技術】
従来より、デジタルカメラやデジタルビデオカメラには、撮影対象を表示するためのディスプレイが備えられている。このディスプレイは、デジタルカメラやデジタルビデオカメラの小型化に伴って小さくなる傾向にあるが、ユーザーとしては、表示が大きい方が見やすく使い勝手がよい。そこで、特許文献１には、複数のディスプレイに連続して画像を表示し、収納時には複数のディスプレイを重ね合わせる等してコンパクト化する技術が開示されている。
【０００３】
しかしながら、特許文献１では、複数のディスプレイへ画像表示が行われるが、収納時における画像表示については開示されていない。画像を大きく表示する必要がない場合には、１のディスプレイのみに画像表示ができれば、便利である。
【０００４】
【特許文献１】
特開２００１−１７５３５５公報
【０００５】
【発明が解決しようとする課題】
本発明は、上記事実を考慮して成されたものであり、１のディスプレイ単体への画像表示、及び、複数のディスプレイが合成された合成表示画面への画像表示、を行うことの可能な表示装置、及び表示装置ユニットを提供することを目的とする。
【０００６】
【課題を解決するための手段】
上記目的を達成するために、請求項１に記載の表示装置は、画像を表示可能な第１表示画面と、画像を表示可能な第２表示画面を備えた第２表示装置を装着可能な装着部と、前記装着部に前記第２表示装置が装着されているかどうかを検知可能な検知手段と、前記検知手段により第２表示装置が装着されていないと検知された場合には、前記第１表示画面に対応する単独画像表示を行うと共に、前記検知手段により第２表示装置が装着されていると検知された場合には、前記第１表示画面と前記第２表示画面とで構成された合成表示画面に対応する合成画像表示を行う画像表示手段と、を含んで構成されている。
【０００７】
本発明の表示装置では、装着部に第２表示装置を装着することができると共に、検知手段により第２表示装置が装着されたかどうかを検知することができる。第２表示装置が装着されていない状態においては、第１表示画面のみで表示画面が構成され、画像表示手段により第１表示画面に対応する単独画像表示が行われる。また、第２表示装置が装着された状態においては、第１表示画面と第２表示画面とで合成表示画面が構成され、検知手段により第２表示装置の装着が検知されて、画像表示手段により合成画面に対応する合成画像表示が行われる。
【０００８】
本発明の表示装置によれば、２つの表示画面を合わせて構成される合成表示画面に画像表示を行うことができるので、表示される画像を大きくすることができ、見やすい表示とすることができる。また、表示画面に応じて単独画像表示と合成画像表示とを自動的に切替えることができるので、高い利便性を得ることができる。
【０００９】
請求項２に記載の表示装置ユニットは、請求項１の表示装置と、画像を表示可能で、前記表示装置の装着部に装着され、画像を表示可能な第２表示画面を備えた、第２表示装置と、を含んで構成されている。
【００１０】
本発明の表示装置ユニットによれば、請求項１の表示装置と同様に、２つの表示画面を合わせて構成される合成表示画面に画像表示を行うことができるので、表示される画像を大きくすることができ、見やすい表示とすることができる。また、構成される表示画面に応じて単独画像表示と合成画像表示とが自動的に切替えることができるので、高い利便性を得ることができる。
【００１１】
請求項３に記載の表示装置は、外側から視認可能な第１表示画面と、外側からの視認が可能な視認可能状態、及び、外側からの視認の不能な視認不能状態が可能とされた第２表示画面と、前記第２表示画面が視認可能状態かどうかを検知可能な検知手段と、前記検知手段により第２表示装置が視認可能状態でないと検知された場合には、前記第１表示画面に対応する単独画像表示を行うと共に、前記検知手段により前記第２表示画面が視認可能状態であると検知された場合には、前記第１表示画面と前記第２表示画面とで構成された合成表示画面に対応する合成画像表示を行う画像表示手段と、を含んで構成されている。
【００１２】
本発明の表示装置では、第２表示画面を視認可能状態と視認不能状態とにすることができる。ここで、視認可能状態とは、ユーザーが第２表示画面を視認することができる状態をいい、視認不能状態とは、第２表示画面が表示装置の筐体内に収納されていたり、他の部材に覆われていたりして、ユーザーが第２表示画面を視認することができない状態をいう。
【００１３】
第２表示画面が視認不能状態の場合には、第１表示画面のみで表示装置の表示画面が構成され、画像表示手段により第１表示画面に対応する単独画像表示が行われる。第２表示画面が視認可能状態の場合には、第１表示画面と第２表示画面とで合成表示画面が構成され、検知手段により第２表示画面が視認可能状態であると検知されて、画像表示手段により合成表示画面に対応する合成画像表示が行われる。
【００１４】
本発明の表示装置によれば、２つの表示画面を合わせて構成される合成表示画面に画像表示を行うことができるので、表示される画像を大きくすることができ、見やすい表示とすることができる。また、構成される表示画面に応じて単独画像表示と合成画像表示とを自動的に切替えることができるので、高い利便性を得ることができる。
【００１５】
【発明の実施の形態】
［第１実施形態］
以下、図面を参照して本発明に係る、表示装置、表示装置ユニットの第１実施形態について説明する。本発明の表示装置、表示装置ユニットは、デジタルカメラ、デジタルビデオカメラ、携帯電話、パーソナルコンピュータなどの、ディスプレイを備える電子機器に適用可能であるが、本実施形態では、デジタルカメラに適用した例について説明する。
【００１６】
本実施形態のデジタルカメラユニット１０は、図１に示すように、デジタルカメラ１２及び追加ディスプレイ１４を備える。デジタルカメラ１２は、上面に、シャッタ操作を行うためのシャッタボタン２０を備え、一側面に追加ディスプレイ１４を装着可能な装着部材２２を備える。また、デジタルカメラ１２は、背面に、撮影対象を確認するためのファインダ２４、電源のオン・オフを行うための電源ボタン２６、ズーミング操作のためのズーミングボタン２８、デジタルカメラ１２を撮影モード／再生モードのいずれた一方に切換えるモードボタン２９、その他の各種の指示を入力するための入力キー３０、及び画像を表示可能な第１表示画面３２を備える。第１表示画面３２は、縦横比が３：４の長方形状とされている。第１表示画面３２は、デジタルカメラ１２の背面の装着部材２２側に配置されている。第１表示画面３２には、第１表示画面３２の全面に、縦横比が第１表示画面３２の縦横比と同一の３：４となる画像を表示する単独画像表示を行うことが可能とされている。
【００１７】
追加ディスプレイ１４は、第２表示画面４０、及びコネクタ４２を備える。第２表示画面４０は、第１表示画面３２と同一サイズであり、追加ディスプレイ１４のデジタルカメラ１２に装着される側に配置されている。コネクタ４２は、装着部材２２に嵌合可能とされている。
【００１８】
装着部材２２の内側には、図２（Ａ）に示すように、電源供給のための電源供給用凹部３４、電気信号による通信のための信号用凹部３６、及び装着センサ３８が配置されている。また、コネクタ４２の内側には、図２（Ｂ）に示すように、電源供給用凹部３４に差し込み可能な電源入力のための電源ピン４４、及び、信号用凹部３６に差し込み可能な電気信号による通信のための信号ピン４６を備える。コネクタ４２が装着部材２２に嵌合され、電源ピン４４及び信号ピン４６が電源供給用凹部３４及び信号用凹部３６に各々差し込まれることにより、追加ディスプレイ１４はデジタルカメラ１２に装着される。
【００１９】
図３に示すように、追加ディスプレイ１４が装着されている状態においては、第１表示画面３２と第２表示画面４０とで合成表示画面５０が構成される。この合成表示画面５０は、縦の長さが第１表示画面３２と同一であり、横の長さは第１表示画面３２の２倍で、縦横比が３：８とされている。合成表示画面５０には、合成表示画面５０の全面に縦横比が３：８となる画像を表示する合成画像表示を行うことが可能とされている。
【００２０】
装着センサ３８は、デジタルカメラ１２に追加ディスプレイ１４が装着されたかどうかを検知可能とされており、追加ディスプレイ１４が装着されている場合に、後述するＣＰＵ６０へ装着信号を送信可能とされている。
【００２１】
図４に本実施形態の制御系の概略ブロック図を示す。デジタルカメラ１２の内部には、ＣＰＵ６０、ＣＣＤ６２、メモリ６４が備えられている。ＣＰＵ６０は、追加ディスプレイ１４、シャッタボタン２０、電源ボタン２６、モードボタン２９、第１表示画面３２、装着センサ３８、ＣＣＤ６２、メモリ６４と接続されており、各種信号の処理、デジタルカメラ１２の各部の制御などを実行可能とされている。なお、追加ディスプレイ１４とは、追加ディスプレイ１４の未装着時には、ＣＰＵ６０と接続されていない。ＣＣＤ６２は、外部からの光を受光すると共に、受光した光を光電変換し、画像データとしてＣＰＵ６０へ出力可能とされている。ＣＣＤ６２からＣＰＵ６０へ出力される画像データの縦横比は３：４とされている。メモリ６４は、画像データを記録可能とされている。メモリ６４に記録されている画像データは、その縦横比がほぼ第１表示画面３２の縦横比に対応している。
【００２２】
次に、本実施形態の作用について説明する。
【００２３】
ユーザーは、デジタルカメラ１２を使用する際に、所定の画像を第１表示画面３２のみへ単独画像表示させたい場合には、デジタルカメラ１２への追加ディスプレイ１４の装着は行わず、所定の画像を合成表示画面５０へ合成画像表示させたい場合には、図２に示すように、デジタルカメラ１２への追加ディスプレイ１４の装着を行う。この装着は、追加ディスプレイ１４のコネクタ４２をデジタルカメラ１２の装着部材２２へ嵌合させると共に、電源ピン４４及び信号ピン４６を、電源供給用凹部３４及び信号用凹部３６に各々差し込んで行う。これにより、合成表示画面５０が構成されると共に、追加ディスプレイ１４は、デジタルカメラ１２に固定されデジタルカメラ１２からの電源の受け取り、及び信号の送受信が可能となる。そして、電源ボタン２６をオンすると、ＣＰＵ６０では、図５に示す画像表示処理Ｗ１が行われる。
【００２４】
ステップＳ１０で、装着センサ３８から装着信号が送られきているかどうか、すなわち、追加ディスプレイ１４が装着されているかどうかを判断する。判断が肯定された場合には、ステップＳ１２で、デジタルカメラ１２のモードが撮影モードかどうかを判断する。判断が肯定された場合には、ステップＳ１４でＣＣＤ６２からの画像データを受信し、判断が否定された場合には、ステップＳ１６でメモリ６４に記録されている画像データを読出す。そして、ステップＳ１８で、合成画像表示用の画像データを構成する。ここでは、メモリ６４に記録されている画像データ、及びＣＣＤ６２からの画像データの縦横比は３：４であるため、この画像データの上下を切り落とし、縦横比３：８の画像データを構成した上で、合成画像表示用の画像データを構成する。ステップＳ２０で、この画像データを合成表示画面５０へ出力して本処理を終了する。
【００２５】
また、ステップＳ１０で判断が否定された場合には、ステップＳ２２で、デジタルカメラ１２のモードが撮影モードかどうかを判断する。判断が肯定された場合には、ステップＳ２４でＣＣＤ６２からの画像データを受信し、判断が否定された場合には、ステップＳ２６でメモリ６４に記録されている画像データを読出す。そして、ステップＳ２８で、単独画像表示用の画像データを構成する。ここでは、メモリ６４に記録されている画像データ、及びＣＣＤ６２からの画像データの縦横比は、単独画像表示用の画像データの縦横比と同じ３：４であるため、画像データの切り落としは行わずに、単独画像表示用の画像データとする。ステップＳ３０で、この画像データを第１表示画面３２へ出力して本処理を終了する。
【００２６】
本実施形態によれば、追加ディスプレイ１４を装着することにより合成表示画面５０を構成することができ、撮影対象をより大きく表示することができる。また、追加ディスプレイ１４の装着、未装着の各々に応じて構成される合成表示画面、単独表示画面に対応した画像が自動的に表示されるので、ユーザーは、自ら表示モードを切換える必要がなく、高い利便性を得ることができる。
【００２７】
なお、本実施形態では、縦横比３：４の画像データの上下のデータを切り落として縦横比３：８の画像データを作成したが、縦横比３：４の画像データを２画像以上合成して、縦横比３：８の画像データを作成することもできる。また、メモリ４４に縦横比３：８の画像データを記録しておき、画像データの左右のデータを切り落として縦横比３：４の画像データを作成することもできる。
［第２実施形態］
次に、第２実施形態について説明する。本実施形態では、第１実施形態と同様の部分については、同一の符号を付して詳細な説明は省略する。
【００２８】
本実施形態のデジタルカメラ７０は、図６に示すように、シャッタボタン２０、ファインダ２４、電源ボタン２６、ズーミングボタン２８、モードボタン２９、入力キー３０、第１表示画面７２、第２表示画面７４、及び、画面位置検知センサ７６を備える。第１表示画面７２は、縦横比が３：４の長方形板状とされている。第１表示画面７２には、第１表示画面７２の全面に、縦横比が第１表示画面７２の縦横比と同一の３：４となる画像を表示する単独画像表示を行うことが可能とされている。第１表示画面７２は、デジタルカメラ７０に収納された状態の位置Ｐ１と、デジタルカメラ７０の横方向へ引き出された状態の位置Ｐ２との間を移動可能とされている。
【００２９】
位置Ｐ１の第１表示画面７２の奥側には、第２表示画面７４が配置されている。第２表示画面７４は、第１表示画面７２と同一サイズであり、第１表示画面７２が位置Ｐ１に収納されている時には、完全に第１表示画面７２に覆われていて外側に表出されず、ユーザーが外側からは視認できないが、第１表示画面７２が位置Ｐ２へ引き出されている際には、その全体が外側に表出され、ユーザーによって視認可能な位置に配置されている。位置Ｐ２の第１表示画面７２と第２表示画面７４とで、合成表示画面５０が構成可能とされている。合成表示画面５０の表示サイズについては、第１実施形態と同様である。
【００３０】
画面位置検知センサ７６は、第１表示画面７２の上部に配置されている。画面位置検知センサ７６は、第１表示画面７２が位置Ｐ２に引き出されている場合に、すなわち、第２表示画面７４が外側へ表出された状態の時に、ＣＰＵ６０へＰ２信号を送信可能とされている。
【００３１】
図７に本実施形態の制御系の概略ブロック図を示す。ＣＰＵ６０は、シャッタボタン２０、電源ボタン２６、モードボタン２９、ＣＣＤ６２、メモリ６４、第１表示画面７２、第２表示画面７４、及び画面位置検知センサ７６と接続されており、各種信号の処理、デジタルカメラ１２の各部の制御などを実行可能とされている。
【００３２】
次に、本実施形態の作用について説明する。
【００３３】
ユーザーは、デジタルカメラ７０を使用する際に、所定の画像を第１表示画面７２のみへ単独画像表示させたい場合には、第１表示画面７２を位置Ｐ１へ収納したままにしておき、所定の画像を合成表示画面５０へ合成画像表示させたい場合には、図６に示すように、第１表示画面７２を位置Ｐ２へ引き出す。この引き出しにより、合成表示画面５０が構成される。そして、電源ボタン２６をオンすると、ＣＰＵ６０では、図８に示す画像表示処理Ｗ２が行われる。
【００３４】
ステップＳ４０で、画面位置検知センサ７６からＰ２信号が送られてきているかどうか、すなわち、第１表示画面７２が位置Ｐ２へ引き出されているかどうかを判断する。判断が肯定された場合には、ステップＳ４２で、デジタルカメラ７０のモードが撮影モードかどうかを判断する。判断が肯定された場合には、ステップＳ４４でＣＣＤ６２からの画像データを受信し、判断が否定された場合には、ステップＳ４６でメモリ６４に記録されている画像データを読出す。そして、ステップＳ４８で、合成画像表示用の画像データを構成する。ここでは、メモリ６４に記録されている画像データ、及びＣＣＤ６２からの画像データの縦横比は３：４であるため、この画像データの上下を切り落とし、縦横比３：８の画像データを構成した上で、合成画像表示用の画像データを構成する。ステップＳ５０で、この画像データを合成表示画面５０へ出力して本処理を終了する。
【００３５】
また、ステップＳ４０で判断が否定された場合には、ステップＳ５２で、デジタルカメラ７０のモードが撮影モードかどうかを判断する。判断が肯定された場合には、ステップＳ５４でＣＣＤ６２からの画像データを受信し、判断が否定された場合には、ステップＳ５６でメモリ６４に記録されている画像データを読出す。そして、ステップＳ５８で、単独画像表示用の画像データを構成する。ここでは、メモリ６４に記録されている画像データ、及びＣＣＤ６２からの画像データの縦横比は、単独画像表示用の画像データの縦横比と同じ３：４であるため、画像データの切り落としは行わずに、単独画像表示用の画像データとする。ステップＳ６０で、この画像データを第１表示画面７２へ出力して本処理を終了する。
【００３６】
本実施形態によっても、第１表示画面７２を位置Ｐ２へ引き出すことにより合成表示画面５０を構成することができ、撮影対象をより大きく表示することができる。また、第１表示画面７２の位置に応じて構成される合成表示画面、単独表示画面に対応した画像が自動的に表示されるので、ユーザーは、自ら表示モードを切換える必要がなく、高い利便性を得ることができる。さらに、第１表示画面７２は、デジタルカメラ７０から分離されないので、携帯に便利であり、また不用意に紛失されることも防止できる。
【００３７】
【発明の効果】
以上説明したように、本発明の表示装置、及び表示装置によれば、構成される表示画面に応じて単独画像表示と合成画像表示とを自動的に切替えることができるので、高い利便性を得ることができる。
【図面の簡単な説明】
【図１】第１実施形態のデジタルカメラユニットの斜視図である（追加ディスプレイ未装着状態）。
【図２】第１実施形態の、（Ａ）はデジタルカメラの装着部材側の側面図であり、（Ｂ）は追加ディスプレイのコネクタ側の側面図である。
【図３】第１実施形態のデジタルカメラユニットの斜視図である（追加ディスプレイ装着状態）。
【図４】第１実施形態のデジタルカメラユニットの、制御系の概略ブロック図である。
【図５】第１実施形態の画像表示処理のフローチャートである。
【図６】第２実施形態のデジタルカメラの斜視図である。
【図７】第２実施形態のデジタルカメラの制御系の概略ブロック図である。
【図８】第２実施形態の画像表示処理のフローチャートである。
【符号の説明】
１０、７０    デジタルカメラユニット（表示装置ユニット）
１２    デジタルカメラ（表示装置）
１４    追加ディスプレイ（第２表示装置）
２２    装着部材（装着部）
３２、７２  第１表示画面
３８    装着センサ（検知手段）
４０、７４    第２表示画面
５０    合成表示画面
７６    画面位置検知センサ（検知手段）
Ｗ１、Ｗ２  画像表示処理（画像表示手段）
【図１】
2005025000.tif 000003
【図２】
2005025000.tif 000004
【図３】
2005025000.tif 000005
【図４】
2005025000.tif 000006
【図５】
2005025000.tif 000007
【図６】
2005025000.tif 000008
【図７】
2005025000.tif 000009
【図８】
2005025000.tif 000010